(57)【要約】【課題】エネルギーの有効利用化が可能な貯湯式給湯装置及び給湯システムを提供する。【解決手段】水を加熱する加熱源と、前記加熱源で加熱された湯を溜める貯湯タンクと、切替弁の切替制御を行う第１制御部とを備え、前記切替弁は、熱利用機器に給湯するための給湯配管を、前記貯湯タンクに溜められた湯を給湯するための第１送湯配管と、補助給湯器で沸かした湯を給湯するための第２送湯配管とに択一的に切り替えて接続するように構成され、前記第１制御部は、前記貯湯タンク内の湯温を検出し、前記湯温の検出結果が所定の条件を満たす場合に前記切替弁を制御して前記給湯配管の接続先を前記第１送湯配管から前記第２送湯配管へ切り替えるように構成される貯湯式給湯装置であって、前記加熱源が停止した際、前記貯湯タンク内の湯温の検出結果に基づいて、前記貯湯タンクに溜められた所定の温度以上の湯を前記第１送湯配管を介して前記熱利用機器に給湯するように構成される第２制御部を備える貯湯式給湯装置。【選択図】図１
2019015477.tif 000002
【特許請求の範囲】
【請求項１】
水を加熱する加熱源と、前記加熱源で加熱された湯を溜める貯湯タンクと、切替弁の切替制御を行う第１制御部とを備え、
前記切替弁は、熱利用機器に給湯するための給湯配管を、前記貯湯タンクに溜められた湯を給湯するための第１送湯配管と、補助給湯器で沸かした湯を給湯するための第２送湯配管とに択一的に切り替えて接続するように構成され、
前記第１制御部は、前記貯湯タンク内の湯温を検出し、前記湯温の検出結果が所定の条件を満たす場合に前記切替弁を制御して前記給湯配管の接続先を前記第１送湯配管から前記第２送湯配管へ切り替えるように構成される貯湯式給湯装置であって、
前記加熱源が停止した際、前記貯湯タンク内の湯温の検出結果に基づいて、前記貯湯タンクに溜められた所定の温度以上の湯を前記第１送湯配管を介して前記熱利用機器に給湯するように構成される第２制御部を備える貯湯式給湯装置。
【請求項２】
前記加熱源はヒートポンプからなることを特徴とする請求項１に記載の貯湯式給湯装置。
【請求項３】
前記貯湯タンクは、その高さ方向に沿って配置される複数の温度センサーを備えており、
前記第２制御部は、前記複数の温度センサーがそれぞれ検出する湯温に基づいて、前記貯湯タンクに溜められた所定の温度以上の湯を前記第１送湯配管を介して前記熱利用機器に給湯するように構成されることを特徴とする請求項１又は２に記載の貯湯式給湯装置。
【請求項４】
前記貯湯タンクは、その高さ方向に沿って配置される複数の温度センサーを備えており、
前記第２制御部は、前記複数の温度センサーの内、最上段に配置される温度センサーが検出する湯温に基づいて、前記貯湯タンクに溜められた所定の温度以上の湯を前記第１送湯配管を介して前記熱利用機器に給湯するように構成されることを特徴とする請求項１又は２に記載の貯湯式給湯装置。
【請求項５】
請求項１から４のいずれかに記載の貯湯式給湯装置と、ガス給湯器からなる前記補助給湯器と、前記切替弁とを備えることを特徴とする給湯システム。
【発明の詳細な説明】
【技術分野】
【０００１】
本発明は、貯湯タンクに溜めた湯を給湯する貯湯式給湯装置、及びその貯湯式給湯装置を用いた給湯システムに関する。
【背景技術】
【０００２】
従来、貯湯タンクに溜めた湯を給湯する貯湯式給湯装置と、沸かした湯を貯湯タンクに溜めずに直接給湯するガス給湯器などの補助給湯器とを有するハイブリッド給湯システムが提供されている(例えば、特許文献１参照）。このようなハイブリッド給湯システムは、通常時においては、貯湯式給湯装置から熱利用機器に湯が供給されるように構成されている一方、貯湯式給湯装置が備える貯湯タンク内の所定温度以上の湯の量が減少した場合には、当該貯湯式給湯装置からの熱利用機器への湯の供給を、ガス給湯器などの補助給湯器による湯の供給に切り替えるように構成される。ここで、貯湯式給湯装置により生成された湯と、ガス給湯器などの補助給湯器により生成された湯との切り替えは、給湯システムの一部を構成する配管ライン途中に設けられる電磁弁を切り替えることにより行われる。また、このような湯の供給元の切り替えは、貯湯式給湯装置が備える加熱源の稼動・停止に拘わらず行われる。また、貯湯式給湯装置が備える貯湯タンク内の所定温度以上の湯の量が増加した場合には、当該ガス給湯器などの補助給湯器湯の供給を、貯湯式給湯装置からの熱利用機器への湯の供給に切り替えるように構成される。このような湯の供給元の切り替えは、やはり貯湯式給湯装置が備える加熱源の稼動・停止に拘わらず行われる。
【先行技術文献】
【特許文献】
【０００３】
【特許文献１】特開２０１２−１３３７６号公報
【発明の概要】
【発明が解決しようとする課題】
【０００４】
上述のハイブリッド給湯システムは、エネルギー効率に優れるものであるが、より一層の省エネルギー化が求められている。本発明は、このような要請に応えるためになされたものであり、エネルギーの有効利用化が可能な貯湯式給湯装置及び給湯システムを提供することを目的とする。
【課題を解決するための手段】
【０００５】
本発明の前記目的は、水を加熱する加熱源と、前記加熱源で加熱された湯を溜める貯湯タンクと、切替弁の切替制御を行う第１制御部とを備え、前記切替弁は、熱利用機器に給湯するための給湯配管を、前記貯湯タンクに溜められた湯を給湯するための第１送湯配管と、補助給湯器で沸かした湯を給湯するための第２送湯配管とに択一的に切り替えて接続するように構成され、前記第１制御部は、前記貯湯タンク内の湯温を検出し、前記湯温の検出結果が所定の条件を満たす場合に前記切替弁を制御して前記給湯配管の接続先を前記第１送湯配管から前記第２送湯配管へ切り替えるように構成される貯湯式給湯装置であって、前記加熱源が停止した際、前記貯湯タンク内の湯温の検出結果に基づいて、前記貯湯タンクに溜められた所定の温度以上の湯を前記第１送湯配管を介して前記熱利用機器に給湯するように構成される第２制御部を備える貯湯式給湯装置により達成される。
【０００６】
この貯湯式給湯装置において、前記加熱源はヒートポンプからなることが好ましい。
【０００７】
前記貯湯タンクは、その高さ方向に沿って配置される複数の温度センサーを備えており、前記第２制御部は、前記複数の温度センサーがそれぞれ検出する湯温に基づいて、前記貯湯タンクに溜められた所定の温度以上の湯を前記第１送湯配管を介して前記熱利用機器に給湯するように構成されることが好ましい。
【０００８】
また、前記貯湯タンクは、その高さ方向に沿って配置される複数の温度センサーを備えており、前記第２制御部は、前記複数の温度センサーの内、最上段に配置される温度センサーが検出する湯温に基づいて、前記貯湯タンクに溜められた所定の温度以上の湯を前記第１送湯配管を介して前記熱利用機器に給湯するように構成されることを特徴とする請求項１又は２に記載の貯湯式給湯装置。
【０００９】
また、本発明の前記目的は、上記に記載の貯湯式給湯装置と、ガス給湯器からなる前記補助給湯器と、前記切替弁とを備えることを特徴とする給湯システムにより達成される。
【発明の効果】
【００１０】
本発明によれば、エネルギーの有効利用化が可能な貯湯式給湯装置及び給湯システムを提供することができる。
【図面の簡単な説明】
【００１１】
【図１】本発明の一実施形態にかかる貯湯式給湯装置を備える給湯システムを示す概略構成模式図である。
【図２】図１に示す貯湯式給湯装置のブロック図である。
【発明を実施するための形態】
【００１２】
以下、本発明の実施形態について添付図面を参照して説明する。なお、各図は、構成の理解を容易ならしめるために部分的に拡大・縮小している。図１は、本発明の一実施形態にかかる貯湯式給湯装置１を備える給湯システムＡを示す概略構成模式図である。給湯システムＡは、図１に示すように貯湯式給湯装置１と、補助給湯器２と、切替弁３とを主要な構成要素として備えている。
【００１３】
補助給湯器２は、例えば、都市ガスやプロパンガスなどの可燃性ガスを燃焼させるガスバーナにより、給水配管５０を通して供給される水を加熱して湯を沸かすように構成されたガス給湯器からなる。また、補助給湯器２は、沸かした湯を第２送湯配管５１及び給湯配管５２を通して熱利用機器Ｚに供給(送湯)するように構成される。なお、本実施形態における熱利用機器Ｚは、例えば、暖房用の空調機器や、浴室暖房システム、床暖房システム、温水放熱器、融雪パネル、乾燥機、給水給湯栓装置、食器洗浄機など種々の熱を利用する装置、機器、システムを例示することができる。また、図１においては、補助給湯器２が、給水配管５０を通して水が供給される構成について示しているが、給水配管５０とは異なる別系統の給水配管を通して水が供給されるように構成してもよい。
【００１４】
切替弁３は、熱利用機器Ｚに給湯するための給湯配管５２を、貯湯タンク１１に溜められた湯を給湯するための後述の第１送湯配管５３と、補助給湯器１で沸かした湯を給湯するための第２送湯配管５１とに択一的に切り替えて接続する弁である。この切替弁３は、２つの入口３１，３２を択一的に切り替えて１つの出口３０と繋ぐ電磁弁(いわゆる３方向電磁弁)で構成される。切替弁３は、一方の入口３１に第１送湯配管５３が接続され、他方の入口３２に第２送湯配管５１が接続され、出口３０に給湯配管５２が接続されている。
【００１５】
ここで、補助給湯器２は、切替弁３が第２送湯配管５１を給湯配管５２に切替接続している状態において、熱利用機器Ｚの給水給湯栓が開栓されているときに湯沸かし動作を行うように構成されている。つまり、補助給湯器２は、切替弁３が第１送湯配管５３を給湯配管５２に切替接続している状態では湯沸かし動作を行わないように構成されている。なお、このような補助給湯器２(ガス給湯器)は従来周知であるから、詳細な構成及び動作の説明は省略する。
【００１６】
本実施形態の貯湯式給湯装置１は、図１に示すように、湯を溜める貯湯タンク１１と、水を加熱する加熱源であるヒートポンプ１２と、第１制御部１３と、第２制御部１４と、温度センサー１５とを備えている。
【００１７】
貯湯タンク１１は、底部に接続されている給水配管５０を通して供給される水を貯留し、且つ頂部に接続されている第１送湯配管５３を通して、貯留している湯を供給(送湯)するように構成されている。なお、貯湯タンク１１から第１送湯配管５３を介して給湯配管５２に湯が送られると、給水配管５０内の水圧により貯湯タンク１１内に水が充填されるので、貯湯タンク１１内は常に満水状態となっている。そして、貯湯タンク１１内に貯留された湯水は、図１に示すように上から順番に高温層、中温層、低温層に分かれており、高温層の温度が最も高く、低温層の温度が最も低くなっている。
【００１８】
ヒートポンプ１２は、貯湯タンク１１に貯留された水を取り込んで加熱することによって湯を沸かし、沸かした湯を貯湯配管５４を通して頂部から貯湯タンク１１内に入れるように構成される。ただし、ヒートポンプ１２は、給水配管５０から取り込んだ水を加熱して湯を沸かすように構成されても構わない。
【００１９】
ここで、このようなヒートポンプ１２としては様々な様式のものが従来から知られているが、代表的には圧縮式ヒートポンプと吸収式ヒートポンプが知られている。圧縮式ヒートポンプは、作動流体を圧縮する圧縮器と、圧縮された作動流体を冷却する冷却手段と、冷却された作動流体を膨張させる膨張器と、膨張した作動流体を加熱する加熱手段を備えている。作動流体は圧縮器で圧縮され、冷却手段で冷却され、膨張器で膨張して、加熱手段で加熱されるサイクルを繰返す。このような圧縮式ヒートポンプを利用して、冷却手段において水と作動流体を熱交換させ、加熱手段において大気と作動流体を熱交換させることで、水を加熱することができる。この場合、膨張器で膨張した作動流体は大気より低温となっており、大気との熱交換によって作動流体は加熱される。また圧縮器で圧縮された作動流体は高温となっており、水との熱交換によって作動流体は冷却される。加熱された水を貯湯タンク１１へ流入させることで、貯湯タンク１１に湯（温水）を貯えることができる。また、貯湯タンク１１から水を汲出し、圧縮式ヒートポンプで加熱して、加熱された水を貯湯タンク１１へ戻す一連の処理を繰返すことで、所望の温度まで昇温された温水を貯湯タンク１１に貯えることができる。
【００２０】
一方、吸収式ヒートポンプは、溶媒で希釈された溶液を加熱して溶媒蒸気と濃縮溶液に分離する再生器と、分離された溶媒蒸気を冷却して凝縮させる凝縮器と、凝縮された溶媒を加熱して蒸発させる蒸発器と、蒸発した溶媒を濃縮溶液に吸収させて希釈し、希釈された溶液を冷却する吸収器を備えている。溶媒は、蒸発器で蒸発し、吸収器で濃縮溶液に吸収され、再生器で溶液から蒸発して分離され、凝縮器で凝縮されるサイクルを繰返す。溶液は、吸収器で溶媒を吸収して希釈化され、再生器で溶媒が蒸発して濃縮されるサイクルを繰返す。 再生器では溶液中の溶媒が蒸発熱を吸収して蒸発する。蒸発した溶媒は、凝縮器で凝縮熱を放出して凝縮する。従って、再生器で加えられた熱を利用して、凝縮器で作動流体を加熱することができる。加熱された作動流体を、貯湯のために水を加熱する手段として利用することができる。 また、蒸発器では溶媒が蒸発熱を吸収して蒸発する。蒸発した溶媒は、吸収器で濃縮溶液に吸収され、吸収熱を放出する。従って、蒸発器で加えられた熱を利用して、吸収器で作動流体を加熱することができる。加熱された作動流体を、貯湯のために水を加熱する手段として利用することができる。
【００２１】
温度センサー１５は、貯湯タンク１１内における湯水の温度を測定するセンサであり、貯湯タンク１１内において、その高さ方向に沿って所定間隔を空けて複数配置されている。つまり、貯湯タンク１１内の湯音を複数(例えば、上段、中段、下段の３つ)の位置で測定し、その測定結果(測定温度)を第１制御部１３に出力するように構成される。
【００２２】
第１制御部１３は、図２のブロック図に示すように、第１演算処理部１３ａ、第１入力部１３ｂ、第１ディスプレイ部１３ｃ、第１メモリ部１３ｄなどを備える。
【００２３】
第１演算処理部１３ａは、組み込みのプログラムを実行することにより、ヒートポンプ１２の動作を制御し、且つ切替弁３の切替制御を行うように構成される。第１演算処理部１３ａは、温度センサー１５から入力される測定結果、すなわち、貯湯タンク１１内の各段の温度測定値に基づき、所定温度以上の湯がどれだけ貯湯されているかを演算する。例えば、下段の温度測定値が所定温度(例えば、６０℃)以上であれば、第１演算処理部１３ａは、貯湯タンク１１の貯湯量が高レベルにあると判断する。また、下段の温度測定値が前記所定温度未満であり、且つ中段の温度測定値が前記所定温度以上であれば、第１演算処理部１３ａは、貯湯タンク１１の貯湯量が中レベルにあると判断する。さらに、下段及び中段の温度測定値が前記所定温度未満であり、且つ上段の温度測定値が所定温度(例えば、４５℃)以下であれば、第１演算処理部１３ａは、貯湯タンク１１の貯湯量が低レベルにあると判断する。
【００２４】
第１入力部１３ｂは、押釦スイッチやディップスイッチなどの入力デバイスを有し、これらの入力デバイスから入力される入力情報を第１演算処理部１３ａに出力するように構成される。このような第１入力部１３ｂは、例えば、貯湯式給湯装置１の給湯動作に関わる種々の設定情報などをユーザが第１演算処理部１３ａに指示するために使用される。
【００２５】
第１ディスプレイ部１３ｃは、例えば液晶ディスプレイからなり、第１演算処理部１３ａによって表示内容が制御されて、各種の設定を行うための設定画面や貯湯式給湯装置１の動作状態を示す画面などを表示するように構成される。
【００２６】
第１メモリ部１３ｄは、フラッシュメモリやＥＥＰＲＯＭなどの不揮発性の半導体メモリからなり、第１入力部１３ｂを用いて入力された設定情報などを記憶するように構成される。
【００２７】
第２制御部１４は、図２のブロック図に示すように、第１制御部１３に接続されており、第２演算処理部１４ａ、第２入力部１４ｂ、第２ディスプレイ部１４ｃ、第２メモリ部１４ｄなどを備えている。
【００２８】
第２演算処理部１４ａは、組み込みのプログラムを実行することにより、ヒートポンプ１２（加熱源）の動作をモニター（検出）し、且つ切替弁３の切替制御を行うように構成される。より具体的には、第２演算処理部１４ａは、ヒートポンプ１２が停止した信号を検出した際、第１制御部にて検出される貯湯タンク１１内の湯温の検出結果（温度センサー１５から入力される測定結果）に基づいて、貯湯タンク１１に溜められた所定の温度以上の湯を第１送湯配管５３を介して熱利用機器Ｚに給湯するように制御する機能を有している。ヒートポンプ１２が停止した信号を検出する方法としては、特に限定されないが、例えば、ヒートポンプ１２に入力される駆動電力値を上記信号として検出する方法を採用することにより、当該駆動電力値がゼロとなった場合に、ヒートポンプ１２が停止したと判断することができる。
【００２９】
このようにヒートポンプ１２（加熱源）が停止したと判断された際、第２演算処理部１４ａは、温度センサー１５から入力される測定結果、すなわち、貯湯タンク１１内の各段の温度測定値に基づき、所定温度以上の湯がどれだけ貯湯されているかを演算し、例えば、下段の温度測定値が所定温度(例えば、６０℃)以上であれば、第２演算処理部１４ａは、貯湯タンク１１の貯湯量が高レベルにあると判断し、下段まで貯留されている所定温度の湯を第１送湯配管５３を介して熱利用機器Ｚに給湯するように、給水配管５０からの貯湯タンク１１への水の供給を制御する。なお、貯湯タンク１１において最上段に配置される温度センサー１５が検出する温度測定値が、所定温度(例えば、６０℃)以下となった場合には、第２演算処理部１４ａは、第１制御部１３を介して、切替弁３を切替制御して給湯配管５２を第２送湯配管５１に接続し、補助給湯器２から熱利用機器Ｚに湯を供給(給湯)させるように制御する。
【００３０】
第２入力部１４ｂは、押釦スイッチやディップスイッチなどの入力デバイスを有し、これらの入力デバイスから入力される入力情報を第２演算処理部１４ａに出力するように構成される。このような第２入力部１４ｂは、例えば、貯湯式給湯装置１の給湯動作に関わる種々の設定情報などをユーザが第２演算処理部１４ａに指示するために使用される。貯湯式給湯装置１の給湯動作に関わる種々の設定情報としては、たとえば、ヒートポンプ１２（加熱源）が停止した際に、貯湯タンク１１から第１送湯配管５３を介して熱利用機器Ｚに給湯する湯の湯温設定に関する情報や、第２制御部１４による制御のＯＮ・ＯＦＦに関する情報等を挙げることができる。
【００３１】
第２ディスプレイ部１４ｃ３３は、例えば液晶ディスプレイからなり、第２演算処理部１４ａによって表示内容が制御されて、各種の設定を行うための設定画面や貯湯式給湯装置１の動作状態を示す画面などを表示するように構成される。
【００３２】
第２メモリ部１４ｄは、フラッシュメモリやＥＥＰＲＯＭなどの不揮発性の半導体メモリからなり、第２入力部１４ｂを用いて入力された設定情報などを記憶するように構成される。
【００３３】
次に、本実施形態の貯湯式給湯装置１を備える給湯システムＡの動作の一例について説明する。まず、第１制御部１３は、貯湯タンク１１内の湯の温度が適温(例えば、７０℃)となるように、ヒートポンプ１２を稼働させる。このとき、第１制御部１３は、切替弁３を切替制御して給湯配管５２を第１送湯配管５３に接続している。つまり、貯湯タンク１１から熱利用機器Ｚに湯が供給(給湯)されるように構成する。
【００３４】
ここで、第１演算処理部１３ａは、貯湯タンク１１内の貯湯量が下限値を下回った場合、切替弁３を切替制御して給湯配管５２を第２送湯配管５１に接続し、補助給湯器２から熱利用機器Ｚに湯を供給(給湯)させる。さらに、第１演算処理部１３ａは、ヒートポンプ１２を稼働させて貯湯タンク１１内のぬるい湯(あるいは常温水)を加熱して湯を沸かす。そして、適温の貯湯量が高レベルに達したら、第１演算処理部１３ａは、切替弁３を切替制御して、給湯配管５２を第１送湯配管５３に接続して、湯の供給元を補助給湯器２から貯湯式給湯装置１が備える貯湯タンク１１に切り替える。
【００３５】
一方、貯湯式給湯装置１から熱利用機器Ｚに湯が供給(給湯)されている状態において、ヒートポンプ１２（加熱源）が何らかの故障によって停止した場合、或いは、停止させた場合、第２制御部１４の第２演算処理部１４ａが、ヒートポンプ１２が停止したことを検出する、次いで、温度センサー１５から入力される測定結果、すなわち、貯湯タンク１１内の各段の温度測定値に基づき、所定温度以上の湯がどれだけ貯湯されているかを演算し、例えば、下段の温度測定値が所定温度(例えば、６０℃)以上であれば、第２演算処理部１４ａは、貯湯タンク１１の貯湯量が高レベルにあると判断し、下段まで貯留されている所定温度の湯を第１送湯配管５３を介して熱利用機器Ｚに給湯するように、給水配管５０からの貯湯タンク１１への水の供給を制御する。そして、貯湯タンク１１において最上段に配置される温度センサー１５が検出する温度測定値が、所定温度(例えば、６０℃)以下となった場合に、第２演算処理部１４ａは、切替弁３を切替制御して給湯配管５２を第２送湯配管５１に接続し、補助給湯器２から熱利用機器Ｚに湯を供給(給湯)させるように制御する。ここで、ヒートポンプ１２（加熱源）を停止させる場合としては、当該ヒートポンプ１２の点検修理を行う場合や、商用電力系統（外部電力系統）から内部電力系統に電力供給を受ける売買電契約にて決定される契約電力量を超える可能性が有る場合等を挙げることができる。
【００３６】
なお、第２制御部１４が、ヒートポンプ１２が停止したことを検出したタイミングで、貯湯タンク１１において最上段に配置される温度センサー１５が検出する温度測定値が、所定温度(例えば、６０℃)以下である場合には、第２演算処理部１４ａは、切替弁３を切替制御して給湯配管５２を第２送湯配管５１に接続し、補助給湯器２から熱利用機器Ｚに湯を供給(給湯)させるように制御する。
【００３７】
上述のように本実施形態の貯湯式給湯装置１は、ヒートポンプ１２（加熱源）が停止した際に、貯湯タンク１１内の湯温の検出結果に基づいて、貯湯タンク１１に溜められた所定の温度以上の湯を第１送湯配管５３を介して熱利用機器Ｚに給湯するように構成されている。従来の貯湯式給湯装置１においては、ヒートポンプ１２（加熱源）が停止した場合には、直ちに、切替弁３を切替制御して給湯配管５２を第２送湯配管５１に接続し、補助給湯器２から熱利用機器Ｚに湯を供給する構成であり、貯湯タンク１１に溜まっている所定温度以上の湯を利用するものでは無かったが、本実施形態に係る貯湯式給湯装置１は、ヒートポンプ１２（加熱源）が停止した場合において、貯湯タンク１１に溜められている湯であって、予定の温度以上の所望湯温の湯を熱利用機器Ｚに供給する機能を備えているため、貯湯タンク１１に給水された常温水を加熱するために使用されたエネルギーを無駄にすることが無くなり、エネルギーの有効利用化が可能となる。
【００３８】
なお、本実施形態の給湯システムＡでは補助給湯器２をガス給湯器としたが、ガス給湯器以外の給湯器、例えば、太陽熱温水器を加熱源とする給湯器を補助給湯器２としても構わない。また、第１演算処理部１３ａが、タイマーを備えるように構成し、予め指定されている時刻(例えば、夜間或いは昼間の所望の時間帯内の時刻)に切替弁３を強制的に切替制御するようにしてもよい。なお、タイマー時間や切替時刻の設定は、第１制御部１３の第１入力部１３ｂを用いて行うようにすればよい。
【００３９】
また、上記実施形態においては、第２制御部１４が備える第２演算処理部１４ａは、ヒートポンプ１２（加熱源）が停止したと判断された際に、温度センサー１５から入力される測定結果、すなわち、貯湯タンク１１内の各段の温度測定値に基づき、所定温度以上の湯がどれだけ貯湯されているかを演算するように構成されているが、このような演算を行わず、ヒートポンプ１２（加熱源）が停止したと判断された際に、貯湯タンク１１において最上段に配置される温度センサー１５が検出する温度測定値のみに基づいて、当該最上段の温度センサー１５が、所定温度(例えば、６０℃)以下となるまで、給水配管５０からの貯湯タンク１１への水の供給を制御し、貯湯タンク１１内の所定温度以上の湯を第１送湯配管５３を介して熱利用機器Ｚに給湯するように構成してもよい。
【００４０】
また、上記実施形態においては、第２制御部１４を第１制御部とは別体として構成しているが、第２制御部１４の機能を第１制御部内に組み込んで、第２制御部１４と第１制御部を単一の制御部として構成してもよいことはいうまでもない。
【符号の説明】
【００４１】
Ａ  給湯システム 
１  貯湯式給湯装置
１１  貯湯タンク
１２  ヒートポンプ(加熱源)
１３  第１制御部
１４  第２制御部
２  補助給湯器
３  切替弁
５０  給水配管
５１  第２送湯配管
５２  給湯配管
５３  第１送湯配管
５４  貯湯配管
Ｚ  熱利用機器
【図１】
2019015477.tif 000003
【図２】
2019015477.tif 000004